(57)【要約】      （修正有）【課題】既製品の湯たんぽカバーを使用でき、保温性に優れ、火傷等の心配がなく安全で、かつ低コストで制作できる湯たんぽの収納保温体及び収納保温具を提供する。【解決手段】上下同じ材質で上下と異なる枚数の断熱材３を、上下異なる敷布で包んだ袋４、５を有し、前記断熱材３の素材がアルミフィルム蒸着発泡ポリエチレンシートからなる湯たんぽの収納保温体と、前記保温体と素材がアルミフィルム蒸着発泡ポリエチレンシートからなる台座とを組み合わせた湯たんぽの収納保温具からなる。【選択図】図１
0003177507.tif 000002
【実用新案登録請求の範囲】
【請求項１】
上下同じ材質で上下と異なる枚数の断熱材を、上下異なる敷布で包んだ袋を有する湯たんぽの収納保温体。
【請求項２】
断熱材を有する台座と前記収納保温体との組み合わせで構成する湯たんぽの収納保温具。
【請求項３】
前記上下で異なる枚数の断熱材が、アルミフィルム蒸着発泡ポリエチレンシートから成る請求項１記載の湯たんぽの収納保温体。
【請求項４】
前記台座の断熱材が、アルミフィルム蒸着発泡ポリエチレンシートから成る請求項２記載の湯たんぽの収納保温体。
【請求項５】
湯たんぽの温度が低下したとき、前記収納保温体を反転して使用する収納保温体、及び収納保温具の使用方法。
【請求項６】
湯たんぽ収納保温体の制作方法
１．湯たんぽの形状に合わせて、アルミフィルム蒸着発泡ポリエチレンシートを３枚裁断する。
２．裁断されたシートを包む敷布の裁断、裁断されたシートより、やや大きく敷布を４枚裁断する。
３．裁断された敷布２枚を合わせて、敷布の右半分の外周をミシンで縫い合わせる、他の２枚も同様にミシンで縫い合わせる。
４．縫い合わせた敷布はミシン目が内側に成るように引っくり返し、袋状態とする、２枚とも。
５．敷布の１枚には裁断されたシートをアルミ箔が外側に成るように２枚入れる。
５．他の敷布には裁断されたシート１枚を入れる。
６．敷布に入れたシートのアルミ箔が外向きに成るように敷布２枚を合わせる。
７．シートを入れた敷布２組をアルミ箔が外側に成るように合わせて敷布４枚の左半分の外周をミシンで縫い合わせる。
８．縫い合わせた敷布のミシン目が内側に成るように敷布を引っくり返す事でアルミ箔が上側、下側共に内側となった。
９．湯たんぽが挿入出来る袋状になった収納保温体。
【考案の詳細な説明】
【技術分野】
【０００１】本発明は湯たんぽ断熱、保温袋に関するものである。
【背景技術】
【０００２】従来の断熱、保温カバーは断熱材と湯たんぽカバーが一体化と袋状に成っている。【０００３】従来の断熱、保温カバーは上下のカバーがファスナーで開閉できる形状に成っている。【０００４】湯たんぽをトレーに入れて断熱をし、布団の下で使用する方法の物もある。【０００５】湯たんぽの上に足を入れる袋状の物を取り付けた形状の物もある。【０００６】湯たんぽの袋の形状を上下の開閉にファスナーを使用した形状もある。
【先行技術文献】
【特許文献】
【０００７】
【特許文献１】：特開２０１０−２５３２３１  公報。
【特許文献２】：実用新案出願２０００−４９２３  公報。
【特許文献３】：実用新案出願２００５−２１  公報。
【特許文献４】：実用新案出願２００８−７０７  公報。
【特許文献５】：実用新案出願２００９−２６９９  公報。
【考案の概要】
【考案が解決しようとする課題】
【０００８】特許文献１では湯たんぽが敷布団専用で他に流用出来ない。【０００９】特許文献２では湯たんぽのカバーにファスナーを使用している為にファスナーが湯たんぽに熱せられて暑くなる。【００１０】特許文献３では湯たんぽのカバーにファスナーを使用し、ファスナーが熱くなる。
湯たんぽ袋の上面のみの弾性スペーサーでは保温性が低い。【００１１】特許文献４では湯たんぽが熱い時、断熱性が悪いと足が熱い又湯たんぽが冷めて来た時に対応出来ない。【００１２】特許文献３では  湯たんぽカバーにファスナーが使用されている為、火傷の危険性が有る、湯たんぽの下側から放熱しやすい。【００１３】特許文献５では湯たんぽ袋の上側、下側の異なる材質の断熱材を使用しているが湯たんぽの表面の快適温度が不明である。【００１４】上記の湯たんぽ袋は二重構造となっているが制作費用が高い。【００１５】特許文献５では既存の湯たんぽ袋が使用できない。【００１６】上記の湯たんぽ袋に断熱材又綿状の繊維を入れただけでは、断熱材がずれてしまう。【００１７】湯たんぽ袋の片面に発泡樹脂シートとアルミニウム断熱シートだけでは湯たんぽが熱い又断熱、保温効果が低い。【００１８】発泡樹脂シートの材質を発泡ウレタン等を使用すると湯たんぽに熱しられると樹脂の匂いが有り、不快である。
【課題を解決するための手段】
【００１９】特許文献５では上下異なった材質の断熱材を使用しているが請求項１では上下同じ材質の断熱材を、上下で異なる枚数の断熱材を有する湯たんぽの収納保温体。【００２０】請求項１の収納保温体と断熱材を有する台座（図３参照）との組み合わせで構成する事で収納保温体の下側の放熱の速度を遅らせている。【００２１】請求項２の湯たんぽの形状に合わせて裁断したアルミフィルム蒸着発泡ポリエチレンシートに巻き付ける敷布。【００２２】請求項２の収納保温具の使用方法（湯たんぽが少し冷えたら反転して使用）。【００２３】請求項３の断熱、保温カバーの使用方法（取り外し可、断熱、保温効果）。【００２４】請求項４の枚数の異なる断熱シートを上側、下側各々敷布で巻きつけて、袋状にした請求項１記載の湯たんぽ袋。【００２５】請求項４の枚数の異なる断熱シートを敷布で巻き付け、袋状にした湯たんぽ袋を既存の湯たんぽ袋に入れて使用する請求項１記載の湯たんぽ袋。【００２６】請求項５の枚数の異なる断熱シートを下側に対して２倍の枚数の断熱シートを上側にして、各々敷布で巻き付ける、敷布の左半分をミシンで縫い袋状にし、既存の湯たんぽ袋に湯たんぽ断熱シート袋を挿入し温度の変化に対応出来る、請求項１記載の湯たんぽ袋。【００２７】湯たんぽ保温袋の使用方法、実願２０１１−６６６６の膝かけ足湯たんぽと併用して使用する事で湯たんぽの保温効果を向上させた、請求項１記載の湯たんぽ袋。【００２８】請求項６湯たんぽ製造方法、アルミフィルム蒸着発泡ポリエチレンシートを上側２枚下側１枚をアルミ箔が外側に成るように敷布で包み、ミシンで敷布を縫い合わせて、ミシン目が内側に成るように引っくり返す。【００２９】既製品の湯たんぽカバーが使用出来る事。【００３０】制作費用が安価である事。【００３１】汎用性があり、夜は布団の湯たんぽとして使用できる事。
【考案の効果】
【００３２】湯たんぽ断熱、保温材は湯たんぽの形状に合わせた形状とし、断熱材を包む敷布はミシンで袋状にすることで、ファスナー等使用せず火傷を防ぐ事が出来た。【００３３】湯たんぽの収納保温体にシートを上側に２枚使用したことで表面温度が４５度から４８度前後となり、膝かけ足湯たんぽとして快適温度になった。【００３４】湯たんぽの形状に合わせて裁断されたアルミフィルム蒸着発泡ポリエチレンシートよりも、少し大きめに敷布を４枚裁断し、２枚の敷布を合わせて右半分の外周をミシンで縫い合わせ、ミシン目が内側になるように裏返し、これを２枚制作した。【００３５】裏返した敷布の一枚に形状に合わせてカットしたアルミフィルム蒸着発泡ポリエチレンシート２枚をアルミ箔が外側になるように入れた。【００３６】裏返した敷布のもう一枚に形状に合わせてカットしたアルミフィルム蒸着発泡ポリエチレンシーン１枚を入れる。【００３７】形状に合わせて裁断されたアルミフィルム蒸着発泡ポリエチレンシートを敷布に入れた状態でアルミ箔が外側になるようして、形状に合わせた敷布４枚の左半分を外周状にミシンで縫い合わせて、ミシン目が内側になるように敷布を裏返しにした。【００３８】アルミフィルム蒸着発泡ポリエチレンシート上側を下側に比較して２倍の枚数にすることで湯たんぽの加熱直後は断熱材の枚数の多い方を使用することで快適な４５度から４８度の温度となった。【００３９】上記アルミ箔が湯たんぽ側にすることで、湯たんぽの熱がアルミ箔を熱して間接的熱が伝わり、断熱と保温効果が計れた。【００４０】出願番号  実願２０１１−６６６６膝かけ足湯たんぽの湯たんぽ収納容器は収納容器の内面外面ともに、アルミフィルム蒸着発泡ポリエチレンシートと布で断熱、保温されているので、膝かけ足湯たんぽと併用することで一段と保温効果が計れた。【００４１】湯たんぽの温度が５時間前後で低下してくるので、湯たんぽの収納保温体の下側が上になるように反転させて、使用することで湯たんぽの温度が高くなった。【００４２】既製品の湯たんぽ及び湯たんぽカバーに収納保温体を入れて使用出来るため断熱、保温カバーの制作費のみで、安価であった。【００４３】湯たんぽの温度が４０度前後からの湯たんぽの加熱の為、ガス代の節約が計れて省エネが計れた。【００４４】鉄板製の湯たんぽを直接、ガスコンロで加熱することで、焼かんで加熱するよりも手間が省け、お湯の温度低下を防げ、温度の保温効果が増した。【００４５】鉄板製湯たんぽを直接、ガスコンロで加熱することで、加熱した高温度のまま湯たんぽとして使用することでお湯の温度低下を防げて、省エネが計れた。【００４６】昼間は膝かけ足湯たんぽ（実新２０１１−６６６６）として使用し、夜は布団の中で湯たんぽとして使用する事で、湯たんぽを常時使用し、水道代金、下水道の節約と省エネが計れた。【００４７】市販の湯たんぽ袋に収納保温体を取り付けた結果、湯たんぽに直接肌が触れる事が無くなり、火傷を防ぐことが出来て快適温度となった。【００４８】湯たんぽ袋に収納保温体を取り付けた結果、湯たんぽの温度が朝まで４３度以上を保ち、朝方の気温低下に対応でき、快適に睡眠が出来た。【００４９】既存の湯たんぽ袋と収納保温体の一体���で湯たんぽの収納が簡単になった。
【図面の簡単な説明】
【図１】斜視図
【００５０】１．断熱、保温カバー外観。
２．上側、下側敷布カバー楕円形の上下半周一体化ミシン縫い目。
３．断熱、保温材。
４．上側保温カバー。
５．下側保温カバー。
【図２】断面図
【００５１】１．上側アルミフィルム蒸着発泡ポリエチレン断熱、保温材。
２．アルミフィルム箔。
３．上側の上布カバー。
４．上側の下布カバー。
５．下側アルミフィルム蒸着発泡ポリエチレン断熱、保温材。
６．アルミフィルム箔。
７．下側の上布カバー。
８．下側の下布カバー。
【図３】平面図
【００５２】［実新２０１１−６６６６］
１．湯たんぽ。
２．湯たんぽ収納プラスチックケース。
３．外側断熱材（アルミフィルム蒸着発泡ポリエチレンシート）。
４．内側断熱材（アルミフィルム蒸着発泡ポリエチレンシート）。
５．外側、内側敷布カバー。
６．膝かけ布。
【図４】正面図
【００５３】［実新２０１１−６６６６］
１．膝かけ布団。
２．膝かけ布団合わせ用ファスナー。
３．湯たんぽ断熱、保温カバー。
４．湯たんぽ収納容器。
【実施例】
【００５４】アルミフィルム蒸着発泡ポリエチレンシート（メーカー名アンダーソンテクノロジー株）社制、シート厚さ８ｍｍを湯たんぽの形状に合わせてシートを裁断する、このシートを３枚裁断する。【００５５】シートを包む敷布をアルミフィルム蒸着発泡ポリエチレンシートより片側で１５ｍｍ大きく、形状合わせて４枚裁断する。【００５６】形状に合わせて裁断した敷布２枚を、形状の右半分を端から５ｍｍの位置を円周状にミシンで縫い合わせ、ミシン目が内側になるように裏返し袋状とする、これを２式作る。【００５７】一枚の敷布にはアルミフィルム蒸着発泡ポリエチレンシートを２枚入れる、又アルミ箔が上になるように重ねる。【００５８】もう１枚の敷布にはアルミフィルム蒸着発泡ポリエチレンシートを１枚いれる。【００５９】敷布に入れたアルミフィルム蒸着発泡ポリエチレンシートのアルミ箔が外側になるように、２枚の敷布を合わせる。【００６０】合わせた敷布４枚を楕円形状の左半分を楕円円周状にミシンで縫い合わせる。【００６１】縫い合わせたミシン目が内側に入るように敷布を裏返すことで収納保温体の完成です。【００６２】完成した収納保温体を既製の湯たんぽカバーに入れて使用可能となる。【００６３】湯たんぽ袋と収納保温体を一体化することで、加熱した湯たんぽの収納が立てたままで袋に収納可能となった。
【産業上の利用可能性】
【００６４】一般家庭。
【図１】
0003177507.tif 000003
【図２】
0003177507.tif 000004
【図３】
0003177507.tif 000005
【図４】
0003177507.tif 000006
【手続補正書】
【提出日】平成24年5月16日(2012.5.16)
【手続補正１】
【補正対象書類名】実用新案登録請求の範囲
【補正対象項目名】全文
【補正方法】変更
【補正の内容】
【実用新案登録請求の範囲】
【請求項１】
上下同じ材質で上下と異なる枚数の断熱材を、上下異なる敷布で包んだ袋を有する湯たんぽの収納保温体。
【請求項２】
断熱材を有する台座と請求項１記載の湯たんぽの収納保温体との組み合わせで構成する湯たんぽの収納保温具。
【請求項３】
前記上下で異なる枚数の断熱材が、アルミフィルム蒸着発泡ポリエチレンシートから成る請求項項１記載の湯たんぽの収納保温体。
【請求項４】
前記台座の断熱材が、アルミフィルム蒸着発泡ポリエチレンシートから成る請求項２記載の湯たんぽ収納保温具。